(57)【要約】【課題】セットトップボックスによる機能拡張するためのカラオケ装置のメーカ名及び機種名の確認と、セットトップボックスへの登録を自動化するカラオケシステム等を提供する。【解決手段】セットトップボックス１０からカラオケ装置２０へ送信された選曲番号データに基づいて１つの機種のみがカラオケ演奏可能な選曲番号データと、その選曲番号データに基づいてカラオケ演奏可能なカラオケ装置２０の機種と、を関連付けてＨＤＤへ記憶しておく。そして、カラオケ装置２０が前記選曲番号データに基づいてカラオケ演奏した場合には、カラオケ装置２０の機種を前記選曲番号データと関連付けられてＨＤＤへ記憶されているカラオケ装置２０の機種と決定する（Ｓ１１６）。そして、決定されたカラオケ装置２０の機種をＨＤＤへ記憶する（Ｓ１１８）。【選択図】図４
2007171645.tif 000002
【特許請求の範囲】
【請求項１】
外部から受信した楽曲の識別子データに基づいてカラオケ演奏可能なカラオケ装置と、
前記カラオケ装置へ前記識別子データを送信し、前記カラオケ装置から出力されたカラオケ演奏の音信号が入力されるセットトップボックスと、
を備えるカラオケシステムであって、
前記カラオケ装置は、
前記セットトップボックスから前記識別子データを受信するカラオケ装置側受信手段と、
前記カラオケ装置側受信手段によって受信された前記識別子データ中のカラオケ演奏可能な識別子データに基づいてカラオケ演奏を開始する開始手段と、
前記開始手段によって開始されたカラオケ演奏の音信号をセットトップボックスへ出力する音信号出力手段と、
を備える複数種のカラオケ装置中の何れか１つの機種であり、
前記セットトップボックスは、
楽曲番号情報を受け付ける受け付け手段と、
前記受け付け手段によって受け付けられた楽曲番号データに対応した識別子データをカラオケ装置へ送信するセットトップボックス側送信手段と、
前記セットトップボックス側送信手段からカラオケ装置へ送信された識別子データに基づいて何れのカラオケ装置の機種においても１つの機種のみがカラオケ演奏可能な識別子データと、その識別子データに基づいてカラオケ演奏可能なカラオケ装置の機種と、を関連付けて記憶する機種記憶手段と、
前記音信号出力手段から出力されたカラオケ演奏の音信号が入力されるセットトップボックス側入力手段と、
前記セットトップボックス側入力手段を介してカラオケ演奏の音信号が入力されたか否かを判断する入力検出手段と、
前記入力検出手段によってカラオケ演奏の音信号が入力されたと判断された場合には、前記カラオケ装置の機種を、前記受け付け手段によって受け付けられた楽曲番号データに対応した識別子データと関連付けられて前記機種記憶手段へ記憶されているカラオケ装置の機種と決定する決定手段と、
前記決定手段によって決定された前記カラオケ装置の機種を記憶する記憶手段と、
前記記憶手段への前記カラオケ装置の機種の記憶・読み出し制御を実行する記憶・読み出し制御手段と、
を備えることを特徴とするカラオケシステム。
【請求項２】
請求項１に記載のカラオケシステムにおいて、
さらに、リモコン端末を備え、
前記リモコン端末は、
楽曲番号情報を受け付けるリモコン側受け付け手段と、
前記リモコン側受け付け手段によって受け付けられた楽曲番号データを前記セットトップボックスへ送信するリモコン信号送信手段と、
を備え、
前記セットトップボックスは、
さらに、前記リモコン端末から楽曲番号データを受信するリモコン信号受信手段を備え、前記セットトップボックス側送信手段は、前記リモコン信号受信手段によって受信した楽曲番号データに対応した識別子データを前記カラオケ装置へ送信することを特徴とするカラオケシステム。
【請求項３】
請求項１に記載のカラオケシステムにおいて、
前記セットトップボックスは、
カラオケ装置の機種を決定するための処理の開始指示を受け付ける開始指示受け付け手段と、
前記開始指示受け付け手段によって受け付けられた開始指示データにより前記機種記憶手段へ記憶されている識別子データ中から異なる識別子データを１つずつ読み出す読み出し手段と、
を備え、
前記セットトップボックス側送信手段は、前記読み出し手段によって読み出された識別子データをカラオケ装置へ送信し、
前記決定手段は、
前記入力検出手段によってカラオケ演奏の音信号が入力されたと判断された場合には、前記カラオケ装置の機種を、前記読み出し手段によって読み出された識別子データと関連付けられて前記機種記憶手段へ記憶されているカラオケ装置の機種と決定することを特徴とするカラオケシステム。
【請求項４】
請求項３に記載のカラオケシステムにおいて、
さらに、リモコン端末を備え、
前記リモコン端末は、
カラオケ装置の機種を決定するための処理の開始指示を受け付けるリモコン側開始指示受け付け手段と、
前記リモコン側開始指示受け付け手段によって受け付けた前記開始指示データをセットトップボックスへ送信するリモコン信号送信手段と、
を備え、
前記セットトップボックスは、
さらに、前記リモコン端末からの前記開始指示データを受信するリモコン信号受信手段を備え、
前記読み出し手段は、前記リモコン信号受信手段によって受信された開始指示データにより前記機種記憶手段へ記憶されている識別子データ中から異なる識別子データを１つずつ読み出すことを特徴とするカラオケシステム。
【請求項５】
請求項１または請求項２に記載のカラオケシステムにおいて、
前記機種記憶手段は、
前記セットトップボックス側送信手段からカラオケ装置へ送信された識別子データに基づいて少なくとも１つの機種がカラオケ演奏可能で、且つ前記複数種のカラオケ装置の機種ごとに組み合わせがそれぞれ異なる識別子データと、前記複数種のカラオケ装置の機種と、を関連付けて記憶し、
前記決定手段は、
前記受け付け手段によって受け付けられた前記機種記憶手段へ記憶されている識別子データ中のそれぞれの識別子データに基づくカラオケ演奏の音信号が入力されたか否かを判断し、それぞれの識別子データに対応する判断結果の組み合わせに基づいてカラオケ装置の機種を決定することを特徴とするカラオケシステム。
【請求項６】
請求項３または請求項４に記載のカラオケシステムにおいて、
前記機種記憶手段は、
前記セットトップボックス側送信手段からカラオケ装置へ送信された識別子データに基づいて少なくとも１つの機種がカラオケ演奏可能で、且つ前記複数種のカラオケ装置の機種ごとに組み合わせがそれぞれ異なる識別子データと、前記複数種のカラオケ装置の機種と、を関連付けて記憶し、
前記決定手段は、
前記読み出し手段によって読み出された前記機種記憶手段へ記憶されている識別子データ中から１つずつ読み出されたそれぞれの識別子データに基づくカラオケ演奏の音信号が入力されたか否かを判断し、それぞれの識別子データに対応する判断結果の組み合わせに基づいてカラオケ装置の機種を決定することを特徴とするカラオケシステム。
【請求項７】
請求項１〜請求項６のいずれかに記載のカラオケシステムに用いられるセットトップボックスであって、請求項１〜請求項６のいずれかにおいてセットトップボックスに関して記載した構成を備えることを特徴とするセットトップボックス。
【請求項８】
外部から受信した楽曲の識別子データに基づいてカラオケ演奏可能なカラオケ装置と、
前記カラオケ装置へ前記識別子データを送信し、前記カラオケ装置から出力されたカラオケ演奏の音信号が入力されるセットトップボックスと、
を備えるカラオケシステムであって、
前記カラオケ装置は、
前記セットトップボックスから前記識別子データを受信するカラオケ装置側受信手段と、
前記カラオケ装置側受信手段によって受信された前記識別子データ中のカラオケ演奏可能な識別子データに基づいてカラオケ演奏を開始する開始手段と、
前記開始手段によって開始されたカラオケ演奏の音信号をセットトップボックスへ出力する音信号出力手段と、
前記開始手段によって開始された映像信号をセットトップボックスへ出力する映像信号出力手段と、
を備える複数種のカラオケ装置中の何れか１つの機種であり、
前記セットトップボックスは、
楽曲番号データに対応した識別子データをカラオケ装置へ送信するセットトップボックス側送信手段と、
前記音信号出力手段から出力されたカラオケ演奏の音信号が入力されるセットトップボックス側音信号入力手段と、
前記映像信号出力手段から出力された映像信号が入力されるセットトップボックス側映像信号入力手段と、
カラオケ曲の楽曲データを記憶する楽曲データ記憶手段と、
前記楽曲データ記憶手段が記憶する前記楽曲データからカラオケ演奏の音信号を生成し、生成された音信号を出力するセットトップボックス側音信号出力手段と、
前記楽曲データ記憶手段が記憶する前記楽曲データから映像信号を生成し、生成された映像信号を出力するセットトップボックス側映像信号出力手段と、
前記セットトップボックス側音信号出力手段から出力された音信号もしくはセットトップボックス側音信号入力手段によって入力された音信号の何れか一方を選択して出力する音信号選択手段と、
前記セットトップボックス側映像信号出力手段から出力された映像信号もしくはセットトップボックス側映像信号入力手段によって入力された映像信号の何れか一方を選択して出力する映像信号選択手段と、
を備えることを特徴とするカラオケシステム。
【請求項９】
請求項８に記載のカラオケシステムに用いられるセットトップボックスであって、請求項８においてセットトップボックスに関して記載した構成を備えることを特徴とするセットトップボックス。
【発明の詳細な説明】
【技術分野】
【０００１】
本発明はカラオケ装置を機能拡張する技術に関し、特に既存のカラオケ装置を最新のカラオケ装置と同等に機能拡張する技術に関する。
【背景技術】
【０００２】
近年のカラオケ装置は、例えば利用者が自己の好みに合った音響効果を設定できる高機能化が進んでいる。また、近年のカラオケ装置は、例えばデュエットでの歌唱採点やゲームの付加など多機能化が進んでいる（例えば、特許文献１参照）。
【０００３】
そして、利用者は、上述のような高機能化や多機能化された近年のカラオケ装置を好んで利用するものと推測される。
【特許文献１】特開２００４−２９４４８１号公報（第２，３頁）
【発明の開示】
【発明が解決しようとする課題】
【０００４】
しかし、カラオケボックスには、上述した高機能化や多機能化された近年のカラオケ装置（以下、最新のカラオケ装置とも称する）ばかりでなく、最新のカラオケ装置以外のカラオケ装置（以下、既存のカラオケ装置とも称する）が多数設置されている。
【０００５】
これらの既存のカラオケ装置は、最新のカラオケ装置に比べると高機能化や多機能化されていないので、最新のカラオケ装置に比べ利用頻度が低下していくと推測される。
利用頻度が低下しないようにするためには、既存のカラオケ装置を最新のカラオケ装置へ入れ替えればよい。しかし、カラオケ装置の入れ替えには、入れ替える手間とコストが掛かる。そのため、カラオケシステムの管理者としては、悩ましい問題になると推測される。
【０００６】
そこで、既存のカラオケ装置を最新のカラオケ装置と同等の高機能化や多機能化にする（以下、機能拡張とも称する）ためのセットトップボックス（以下、ＳＴＢとも称する）を設けることが考えられる。具体的には、ＳＴＢが、機能拡張するための制御部や記憶装置を備え、ＡＤＳＬモデム、インターネットを経由して配信センタと通信できるように構成され、カラオケ装置へ接続される。そして、ＳＴＢがカラオケ装置へリモコン信号を送信してカラオケ装置を制御する。
【０００７】
すなわち、既存のカラオケ装置へ上述したＳＴＢを付加することで、高機能化や多機能化された最新のカラオケ装置と同等に機能拡張することが考えられる。
また、カラオケ歌唱者、特にカラオケ歌唱の熟練者にとっては、自分好みの演奏楽曲や映像（背景映像やビデオクリップなど）を用いたカラオケ装置でカラオケ歌唱したいという要望がある。その理由は、カラオケ装置の製造会社が使用する音源に応じて楽曲の音質や音色が異なり、前記楽曲に対応する背景映像も前記製造会社に応じて異なっているからである。
【０００８】
しかし、複数のカラオケボックスに設置されたカラオケ装置の機種が全て同一の機種とは限らない。カラオケ装置の機種が全て同一の機種でないことの方が多いと推測される。そして、カラオケ装置を利用するたびにカラオケボックスが決められるため、毎回同じカラオケ装置を利用するとは限らない。よって、カラオケ装置を利用するたびに異なるためカラオケ装置を利用することになり、カラオケ歌唱者、特にカラオケ歌唱の熟練者にとっては、自分好みの演奏楽曲や映像（背景映像やビデオクリップなど）を用いたカラオケ歌唱ができないという不満があった。
【０００９】
この課題を解決するために例えばＡ社製造のカラオケ装置へＢ社が使用する音源と背景映像を用いたカラオケ演奏可能なＢ社製造のＳＴＢを付加する。すると、Ａ社製造のカラオケ装置が設置されたカラオケボックスであってもＢ社のカラオケ歌唱を楽しめるようになる。
【００１０】
次に、ＳＴＢは、既存のカラオケ装置へリモコン信号を送信してカラオケ装置を制御するが、ＳＴＢ側からカラオケ装置側へ送信されるリモコン信号コードの体系に対して、受信されるカラオケ装置側のリモコン信号コードの体系が同じとは限らない。すなわち、カラオケ装置の製造メーカや機種によってカラオケ装置側のリモコン信号コードの体系が相違していることが考えられる。
【００１１】
そのため、ＳＴＢ側から入力情報例えば数字「１」に対応するリモコン信号コードがカラオケ装置側へ送信された場合、受信されるカラオケ装置側では数字「１」の入力情報であると認識するとは限らない。
【００１２】
したがって、ＳＴＢから送信されるリモコン信号コードを、カラオケ装置の製造メーカや機種に対応するリモコン信号コードに変換するコード変換手段をＳＴＢが備えるようにすることが考えられる。
【００１３】
そのためには、ＳＴＢに接続可能なカラオケ装置のメーカ名及び機種名を予めＳＴＢが認識しておく必要がある。つまり、カラオケ装置のメーカ名及び機種名をＳＴＢに登録しなくてはならない。
【００１４】
カラオケ装置のメーカ名及び機種名をＳＴＢに登録するためには、サービスマンがＳＴＢに接続されているカラオケ装置のメーカ名及び機種名を目視で確認して、ＳＴＢへ登録することが考えられる。
【００１５】
しかし、ＳＴＢに接続されているカラオケ装置のメーカ名及び機種名の目視での確認と、ＳＴＢへの登録を人手で行なっていたのでは、カラオケ装置のメーカ名及び機種名を誤って登録する場合が考えられる。また、カラオケ装置のメーカ名及び機種名の目視での確認と、ＳＴＢへの登録は、サービスマンにとって手間の掛かる作業と考えられる。
【００１６】
本発明は、上記問題を解決するためになされたものであり、その目的とするところは、セットトップボックスによる機能拡張するためのカラオケ装置のメーカ名及び機種名の確認と、セットトップボックスへの登録を自動化するカラオケシステム等を提供することである。
【課題を解決するための手段】
【００１７】
上述した問題点を解決するためになされた本発明のカラオケシステム（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、外部から受信した楽曲の識別子データに基づいてカラオケ演奏可能なカラオケ装置（２０）と、カラオケ装置へ前記識別子データを送信し、カラオケ装置から出力されたカラオケ演奏の音信号が入力されるセットトップボックス（１０）と、を備える。
【００１８】
そして、カラオケ装置は、セットトップボックスから前記識別子データを受信するカラオケ装置側受信手段（２２０）と、カラオケ装置側受信手段によって受信された前記識別子データ中のカラオケ演奏可能な識別子データに基づいてカラオケ演奏を開始する開始手段（２１２）と、開始手段によって開始されたカラオケ演奏の音信号をセットトップボックスへ出力する音信号出力手段（２２６）と、を備える複数種のカラオケ装置中の何れか１つの機種である。
【００１９】
また、セットトップボックスは、楽曲番号情報を受け付ける受け付け手段（１１８）と、受け付け手段によって受け付けられた楽曲番号データに対応した識別子データをカラオケ装置へ送信するセットトップボックス側送信手段（１４０）と、セットトップボックス側送信手段（１４０）からカラオケ装置へ送信された識別子データに基づいて何れのカラオケ装置の機種においても１つの機種のみがカラオケ演奏可能な識別子データと、その識別子データに基づいてカラオケ演奏可能なカラオケ装置の機種と、を関連付けて記憶する機種記憶手段（１１６）と、を備える。
【００２０】
さらに、セットトップボックスは、音信号出力手段から出力されたカラオケ演奏の音信号が入力されるセットトップボックス側入力手段（１３０）と、セットトップボックス側入力手段を介してカラオケ演奏の音信号が入力されたか否かを判断する入力検出手段（１２４）と、入力検出手段によってカラオケ演奏の音信号が入力されたと判断された場合には、前記カラオケ装置の機種を、受け付け手段によって受け付けられた楽曲番号データに対応した識別子データと関連付けられて機種記憶手段へ記憶されているカラオケ装置の機種と決定する決定手段（１１２）と、決定手段によって決定された前記カラオケ装置の機種を記憶する記憶手段（１１６）と、記憶手段への前記カラオケ装置の機種の記憶・読み出し制御を実行する記憶・読み出し制御手段（１１２）と、を備える。
【００２１】
上述のように、本発明のカラオケシステムは、セットトップボックスによる機能拡張するためのカラオケ装置のメーカ名及び機種名の確認と、セットトップボックスへの登録を自動化できる。
【００２２】
すなわち、上述の「発明が解決しようとする課題」にて説明したようにセットトップボックス側からカラオケ装置側へ送信されるリモコン信号コードの体系に対して、受信されるカラオケ装置側のリモコン信号コードの体系が同じとは限らない。
【００２３】
したがって、セットトップボックスからカラオケ装置へ送信された識別子データに基づいて複数種のカラオケ装置がカラオケ演奏するとは限らない。
そこで、敢えてセットトップボックスからカラオケ装置へ送信された識別子データに基づいて１つの機種のみがカラオケ演奏可能な識別子データを、何れのカラオケ装置の機種においても予め調査しておく。
【００２４】
そして、１つの機種のみがカラオケ演奏可能な識別子データと、その識別子データに基づいてカラオケ演奏可能なカラオケ装置の機種と、を関連付けて記憶しておく。
そのようにすれば、カラオケ装置が前記識別子データに基づいてカラオケ演奏した場合には、カラオケ装置の機種を前記識別子データと関連付けられて記憶されているカラオケ装置の機種と決定できる。そして、決定されたカラオケ装置の機種を記憶手段へ記憶する。つまり、セットトップボックスによる機能拡張するためのカラオケ装置のメーカ名及び機種名の確認と、セットトップボックスへの登録を自動化できる。
【００２５】
したがって、カラオケ装置のメーカ名及び機種名を誤って登録する場合がなくなる。また、サービスマンにとってカラオケ装置のメーカ名及び機種名の確認と、セットトップボックスへの登録がなくなるので、手間の掛かる作業を省ける。
【００２６】
なお、カラオケシステムは、楽曲番号情報を受け付ける受け付け手段として、請求項２に記載のように、リモコン端末（１５）を備えるとよい。
すなわち、リモコン端末（１５）は、楽曲番号情報を受け付けるリモコン側受け付け手段（１５２）と、リモコン側受け付け手段によって受け付けられた楽曲番号データを前記セットトップボックスへ送信するリモコン信号送信手段（１５４）と、を備える。また、セットトップボックスは、さらに、リモコン端末から楽曲番号データを受信するリモコン信号受信手段（１２３）を備える。そして、セットトップボックス側送信手段（１４０）は、リモコン信号受信手段によって受信した楽曲番号データに対応した識別子データをカラオケ装置へ送信するとよい。
【００２７】
このように構成された本発明のカラオケシステムによれば、携帯可能なリモコン端末によって楽曲番号情報を受け付けできるので、サービスマンにとってセットトップボックスをカラオケ装置へ接続する場合にカラオケ装置の機種を決定する作業が容易となる。つまり、サービスマンはカラオケボックスの中で、セットトップボックスが設置されている場所まで移動せずに、例えばカラオケボックス内の座席に座ったままリモコン端末へ楽曲番号情報を入力すればよい。
【００２８】
しかし、サービスマンがカラオケ装置の機種を決定するために楽曲番号情報をリモコン端末へそれぞれ入力する作業も手間が掛かる。
そこで、請求項３に記載のように、カラオケ装置の機種を決定するための処理の開始指示を受け付けると機種記憶手段に記憶されている識別子データ中から異なる識別子データが１つずつ読み出され、カラオケ装置へ送信されるとよい。
【００２９】
すなわち、請求項１に記載のカラオケシステムにおいて、セットトップボックスは、カラオケ装置の機種を決定するための処理の開始指示を受け付ける開始指示受け付け手段と、開始指示受け付け手段によって受け付けられた開始指示データにより機種記憶手段へ記憶されている識別子データ中から異なる識別子データを１つずつ読み出す読み出し手段（１１２）と、を備える。
【００３０】
また、セットトップボックス側送信手段は、読み出し手段によって読み出された識別子データをカラオケ装置へ送信する。
そして、決定手段は、入力検出手段によってカラオケ演奏の音信号が入力されたと判断された場合には、前記カラオケ装置の機種を、読み出し手段によって読み出された識別子データと関連付けられて機種記憶手段へ記憶されているカラオケ装置の機種と決定するとよい。
【００３１】
このように構成された本発明のカラオケシステムによれば、カラオケ装置の機種を決定するための処理の開始指示を受け付けると機種記憶手段に記憶されている識別子データ中から異なる識別子データが１つずつ読み出され、カラオケ装置へ送信されるので、サービスマンは、開始指示を１回入力する作業で済ますことができる。つまり、サービスマンにとって入力する作業の手間を少なくできる。
【００３２】
なお、カラオケシステムは、カラオケ装置の機種を決定するための処理の開始指示を受け付ける受け付け手段として、請求項４に記載のように、リモコン端末を備えるとよい。
すなわち、請求項３に記載のカラオケシステムにおいて、リモコン端末は、カラオケ装置の機種を決定するための処理の開始指示を受け付けるリモコン側開始指示受け付け手段と、リモコン側開始指示受け付け手段によって受け付けた前記開始指示データをセットトップボックスへ送信するリモコン信号送信手段（１５４）と、を備える。
【００３３】
また、セットトップボックスは、さらに、リモコン端末からの前記開始指示データを受信するリモコン信号受信手段（１２３）を備える。
そして、読み出し手段（１１２）は、リモコン信号受信手段によって受信された開始指示データにより機種記憶手段へ記憶されている識別子データ中から異なる識別子データを１つずつ読み出すとよい。
【００３４】
このように構成された本発明のカラオケシステムによれば、携帯可能なリモコン端末によってカラオケ装置の機種を決定するための処理の開始指示を受け付けできるので、サービスマンにとって操作が容易となる。つまり、サービスマンはセットトップボックスの設置してある場所まで移動しなくてもよく、例えば座席に座ったままリモコン端末へカラオケ装置の機種を決定するための処理の開始指示を入力すればよい。
【００３５】
なお、カラオケ装置の機種を決定するための楽曲は、１つの機種のみがカラオケ演奏可能な楽曲でなくてもよい。つまり、請求項５に記載のように、カラオケ装置の機種を決定するための楽曲は、少なくとも１つの機種がカラオケ演奏可能な楽曲でもよい。
【００３６】
すなわち、請求項１または請求項２に記載のカラオケシステムにおいて、機種記憶手段（１１６）は、セットトップボックス側送信手段（１４０）からカラオケ装置へ送信された識別子データに基づいて少なくとも１つの機種がカラオケ演奏可能で、且つ前記複数種のカラオケ装置の機種ごとに組み合わせがそれぞれ異なる識別子データと、前記複数種のカラオケ装置の機種と、を関連付けて記憶する。
【００３７】
そして、決定手段（１１２）は、受け付け手段によって受け付けられた機種記憶手段へ記憶されている識別子データ中のそれぞれの識別子データに基づくカラオケ演奏の音信号が入力されたか否かを判断し、それぞれの識別子データに対応する判断結果の組み合わせに基づいてカラオケ装置の機種を決定するとよい。
【００３８】
このように構成された本発明のカラオケシステムによれば、少なくとも１つの機種がカラオケ演奏可能な楽曲であっても、カラオケ装置の機種を決定することができる。つまり、カラオケ装置の機種を決定するために選択される楽曲数を増やせる。
【００３９】
また、請求項３または請求項４に記載のカラオケシステムについてもカラオケ装置の機種を決定するための楽曲は、１つの機種のみがカラオケ演奏可能な楽曲でなくてもよい。つまり、請求項６に記載のように、カラオケ装置の機種を決定するための楽曲は、少なくとも１つの機種がカラオケ演奏可能な楽曲でもよい。
【００４０】
すなわち、請求項３または請求項４に記載のカラオケシステムにおいて、機種記憶手段（１１６）は、セットトップボックス側送信手段（１４０）からカラオケ装置へ送信された識別子データに基づいて少なくとも１つの機種がカラオケ演奏可能で、且つ前記複数種のカラオケ装置の機種ごとに組み合わせがそれぞれ異なる識別子データと、前記複数種のカラオケ装置の機種と、を関連付けて記憶する。
【００４１】
そして、決定手段（１１２）は、読み出し手段によって読み出された機種記憶手段へ記憶されている識別子データ中から１つずつ読み出されたそれぞれの識別子データに基づくカラオケ演奏の音信号が入力されたか否かを判断し、それぞれの識別子データに対応する判断結果の組み合わせに基づいてカラオケ装置の機種を決定するとよい。
【００４２】
このように構成された本発明のカラオケシステムによれば、請求項３または請求項４に記載のカラオケシステムついても請求項５と同様の効果を得ることができる。
また、請求項１〜請求項６のいずれかに記載のカラオケシステムに用いられるセットトップボックスであって、請求項７に記載のように、セットトップボックス単体として構成されるとよい。
【００４３】
すなわち、請求項１〜請求項６のいずれかに記載のカラオケシステムに用いられるセットトップボックスであって、請求項１〜請求項６のいずれかにおいてセットトップボックスに関して記載した構成を備えるとよい。
【００４４】
このように構成された本発明のセットトップボックスによれば、請求項１〜請求項６に記載のカラオケシステムに、このセットトップボックスを付加することで、高機能化や多機能化された最新のカラオケ装置と同等に機能拡張することができるとともに、セットトップボックスによる機能拡張するためのカラオケ装置のメーカ名及び機種名の確認と、セットトップボックスへの登録を自動化できる。
【００４５】
また、請求項８に記載のように、例えばＡ社製造のカラオケ装置が使用する音源もしくはＢ社製造のセットトップボックスが使用する音源の何れか一方を選択できるとよい。さらに例えばＡ社製造のカラオケ装置が使用する背景映像もしくはＢ社製造のセットトップボックスが使用する背景映像の何れか一方を選択できるとよい。
【００４６】
すなわち、カラオケシステムは、外部から受信した楽曲の識別子データに基づいてカラオケ演奏可能なカラオケ装置（２０）と、カラオケ装置へ前記識別子データを送信し、前記カラオケ装置から出力されたカラオケ演奏の音信号が入力されるセットトップボックス（１０）と、を備える。
【００４７】
そして、カラオケ装置は、セットトップボックスから前記識別子データを受信するカラオケ装置側受信手段（２２０）と、カラオケ装置側受信手段によって受信された前記識別子データ中のカラオケ演奏可能な識別子データに基づいてカラオケ演奏を開始する開始手段（２１２）と、開始手段によって開始されたカラオケ演奏の音信号をセットトップボックスへ出力する音信号出力手段（２３０）と、開始手段によって開始された映像信号をセットトップボックスへ出力する映像信号出力手段（２３０）と、を備える複数種のカラオケ装置中の何れか１つの機種である。
【００４８】
また、セットトップボックスは、楽曲番号データに対応した識別子データをカラオケ装置へ送信するセットトップボックス側送信手段（１４０）と、音信号出力手段から出力されたカラオケ演奏の音信号が入力されるセットトップボックス側音信号入力手段（１３０）と、映像信号出力手段から出力された映像信号が入力されるセットトップボックス側映像信号入力手段（１３６）と、カラオケ曲の楽曲データを記憶する楽曲データ記憶手段（１１６）と、を備える。
【００４９】
さらに、セットトップボックスは、楽曲データ記憶手段が記憶する前記楽曲データからカラオケ演奏の音信号を生成し、生成された音信号を出力するセットトップボックス側音信号出力手段（１２６）と、楽曲データ記憶手段が記憶する前記楽曲データから映像信号を生成し、生成された映像信号を出力するセットトップボックス側映像信号出力手段（１３２）と、セットトップボックス側音信号出力手段から出力された音信号もしくはセットトップボックス側音信号入力手段によって入力された音信号の何れか一方を選択して出力する音信号選択手段と、セットトップボックス側映像信号出力手段から出力された映像信号もしくはセットトップボックス側映像信号入力手段によって入力された映像信号の何れか一方を選択して出力する映像信号選択手段と、を備えるとよい。
【００５０】
このように構成された本発明のカラオケシステムによれば、例えばＡ社製造のカラオケ装置が使用する音源もしくはＢ社製造のセットトップボックスが使用する音源の何れか一方を選択できる。さらに例えばＡ社製造のカラオケ装置が使用する背景映像もしくはＢ社製造のセットトップボックスが使用する背景映像の何れか一方を選択できる。したがって、カラオケ歌唱者、特にカラオケ歌唱の熟練者にとっては、自分好みの音源をや映像を用いてカラオケ歌唱を楽しむことができる。
【００５１】
また、請求項９に記載のように、例えばＡ社製造のカラオケ装置へＢ社が使用する音源と背景映像を用いたカラオケ演奏可能なＢ社製造のセットトップボックスを付加できるように、セットトップボックス単体として構成されるとよい。
【００５２】
すなわち、請求項８のいずれかに記載のカラオケシステムに用いられるセットトップボックスであって、請求項８においてセットトップボックスに関して記載した構成を備えるとよい。
【００５３】
このように構成された本発明のセットトップボックスによれば、例えばＡ社製造のカラオケ装置へＢ社が使用する音源と背景映像を用いたカラオケ演奏可能なＢ社製造のセットトップボックスを付加することで、Ａ社製造のカラオケ装置が設置されたカラオケボックスであってもＢ社のカラオケ歌唱を楽しめるようになる。
【発明を実施するための最良の形態】
【００５４】
以下に本発明の実施形態を図面とともに説明する。
図１は、本実施例のカラオケシステム１の構成及び稼働時の周辺機器の構成を示すブロック図である。
【００５５】
［カラオケシステム１の構成及び周辺機器の構成の説明］
複数のカラオケシステム１とそれら複数のカラオケシステム１を管理するローカルサーバ２とは、図１に示すように、カラオケボックス内ＬＡＮ３へ接続されている。また、カラオケボックス内ＬＡＮ３はＬＡＮハブ装置４へ接続されている。そして、複数のカラオケシステム１とローカルサーバ２とは、このＬＡＮハブ装置４、ブロードバンドルータ５、ＡＤＳＬモデム６及び高速通信回線７を介して中央サーバ８との通信ができるように構成されている。
【００５６】
［カラオケシステム１の構成の説明］
カラオケシステム１は、図１に示すように、カラオケボックス内ＬＡＮ３へ接続されているセットトップボックス１０、このセットトップボックス１０へ接続されているカラオケ装置２０とオーディオアンプ３０とモニタ５０、このオーディオアンプ３０へ接続されている２つのスピーカ４０、セットトップボックス１０へ赤外線信号（以下、第１リモコン信号とも称する）を送信するリモコン端末１５などを備えている。
【００５７】
なお、カラオケ装置２０は複数種のカラオケ装置中の１つの機種である。複数種のカラオケ装置とは、カラオケ装置の製造メーカや機種によってカラオケ装置側のリモコン信号コードの体系がそれぞれ相違しているカラオケ装置を指す。
【００５８】
以下カラオケ装置２０、セットトップボックス１０及びリモコン端末１５の構成を、順に説明する。
［カラオケ装置２０の構成の説明］
カラオケ装置２０は、図２に示すように、セットトップボックス１０から、もしくはリモコン端末１５より第１リモコン信号を受信したセットトップボックス１０から有線にて送信されたリモコン信号（以下、第２リモコン信号とも称する）を受信するリモコン信号受信部２２０、リモコン信号受信部２２０によって受信された第２リモコン信号に基づいてカラオケ演奏を制御するカラオケ制御部２１２、図示されないハードディスクに記憶された識別子データ例えば選曲番号データを有する楽曲データから演奏楽曲の音信号（音響，音声に関する信号）を生成し、生成された音信号を出力するカラオケ音声出力部２２６、前記楽曲データから映像信号を生成し、生成された映像信号を出力するカラオケ映像出力部２３０などを備えている。なお、上記では、リモコン信号受信部２２０はセットトップボックス１０から有線にて第２リモコン信号を受信したが、これには限らない。リモコン信号受信部２２０はセットトップボックス１０から赤外線通信のような無線にて第２リモコン信号を受信してもよい。また、カラオケ制御部２１２は、後述する［カラオケ制御部２１２の決定処理］を実行する。
【００５９】
なお、本実施形態においては、リモコン信号受信部２２０が「カラオケ装置側受信手段」に相当し、カラオケ制御部２１２が「開始手段」に相当し、カラオケ音声出力部２２６が「音信号出力手段」に相当する。
【００６０】
［セットトップボックス１０の構成の説明］
セットトップボックス１０は、図２に示すように、セットトップボックス１０全体の動作を制御する制御部１１２、セットトップボックス１０をカラオケボックス内ＬＡＮ３へ接続するためのＬＡＮインタフェース部１１４、演奏楽曲の伴奏内容および歌詞を示す楽曲データや映像データなどを記憶するハードディスク（ＨＤＤ）１１６、複数のキー・スイッチからなる操作部１１８、リモコン端末１５からの第１リモコン信号を赤外線通信によって受信するための赤外リモコン信号受信部１２３、操作部１１８からの信号を処理する操作処理部１２２、ハードディスク１１６に記憶された楽曲データから演奏楽曲の音信号（音響，音声に関する信号）を生成し、生成された音信号を出力する音声出力部１２６、カラオケ装置２０から出力された音信号が入力される音声信号入力部１３０、音声出力部１２６から出力された音信号もしくは音声信号入力部１３０を介して入力された音信号の何れか一方を選択しオーディオアンプ３０へ出力するセレクタ１２８、音声信号入力部１３０を介してカラオケ演奏の音信号が入力されたか否かを判断する入力検出部１２４、ハードディスク１１６に記憶された楽曲データから映像信号を生成し、生成された映像信号を出力する映像出力部１３２、カラオケ装置２０から出力された映像信号を入力する映像信号入力部１３６、映像出力部１３２から出力された映像信号もしくは映像信号入力部１３６によって入力された映像信号の何れか一方を選択しモニタ５０へ出力するセレクタ１３４、第２リモコン信号をセットトップボックス１０からカラオケ装置２０へ有線にて送信するリモコン信号送信部１４０などを備えている。なお、リモコン信号送信部１４０はセットトップボックス１０からカラオケ装置２０へ有線にて第２リモコン信号を受信したが、これには限らない。リモコン信号送信部１４０はセットトップボックス１０からカラオケ装置２０へ赤外線通信のような無線にて第２リモコン信号を送信してもよい。また、制御部１１２は、後述する［制御部１１２の決定処理］を実行する。
【００６１】
このうち、ＨＤＤ１１６には、図３（ａ）に例示するように、関連データのメモリ領域６０及び機種データのメモリ領域６２が設けられている。以下、順に説明する。
（イ）関連データ
関連データとは、図３（ｂ）、図３（ｃ）に例示するように、複数種のカラオケ装置２０中の１つの機種のみがカラオケ演奏可能な選曲番号データと、その選曲番号データに基づいてカラオケ演奏可能なカラオケ装置２０の機種を示すデータとが関連付けられたデータを指す。
【００６２】
ここで、複数種のカラオケ装置２０中の１つの機種のみがカラオケ演奏可能な選曲番号データについて説明する。
セットトップボックス１０からカラオケ装置２０へ送信された選曲番号データに基づいて１つの機種のみがカラオケ演奏可能な選曲番号を、図３（ｅ）に例示するように、複数種のカラオケ装置２０の機種（Ａ）〜（Ｎ）において予め調査しておく。ここで、図３（ｅ）中の「○」はカラオケ演奏可能であることを示し、「×」はカラオケ演奏しないことを示す。例えばカラオケ装置２０の機種（Ａ）のみがカラオケ演奏可能であり、カラオケ装置２０の機種（Ｂ）〜（Ｎ）においてはカラオケ演奏しない選曲番号（１）を予め調査しておく。このように、複数種のカラオケ装置２０の機種（Ａ）〜（Ｎ）の全ての機種において、１つの機種のみがカラオケ演奏可能な選曲番号を予め調査しておく。
【００６３】
そして、関連データは、図３（ｂ）、図３（ｃ）に例示するように、選曲番号（１〜ｎ）の数値「１〜ｎ」とカラオケ装置の機種（Ａ〜Ｎ）とが関連付けられて関連データのメモリ領域６０（ｎ）へ記憶されている。一例を挙げると、選曲番号（１）に対応する関連データは、選曲番号（１）の数値「１」とカラオケ装置の機種（Ａ）とが関連付けられて関連データのメモリ領域６０（１）へ記憶されている。
【００６４】
（ロ）機種データ
機種データとは、後述する［制御部１１２の決定処理］によって決定されたカラオケ装置２０の機種を示すデータを指す。
【００６５】
そして、カラオケ装置の機種（Ａ〜Ｎ）を示す機種データは、図３（ａ）、図３（ｄ）に例示するように、機種データのメモリ領域６２へ制御部１１２によって記憶される。一例を挙げると、カラオケ装置の機種（Ａ）を示すデータは、機種データのメモリ領域６２へ制御部１１２によって記憶される。
【００６６】
なお、本実施形態においては、操作部１１８が「受け付け手段」に相当し、リモコン信号送信部１４０が「セットトップボックス側送信手段」に相当し、ＨＤＤ１１６が「機種記憶手段」及び「記憶手段」に相当し、音声信号入力部１３０が「セットトップボックス側入力手段」に相当する。また、入力検出部１２４が「入力検出手段」に相当し、制御部１１２が「決定手段」及び「記憶・読み出し制御手段」に相当し、赤外リモコン信号受信部１２３が「リモコン信号受信手段」に相当する。
【００６７】
［リモコン端末１５の構成の説明］
リモコン端末１５は、複数のキー・スイッチからなるリモコン操作部１５２、リモコン端末１５から第１リモコン信号をセットトップボックス１０へ送信する赤外リモコン信号送信部１５４などを備えている。
【００６８】
なお、リモコン操作部１５２が「リモコン側受け付け手段」に相当し、赤外リモコン信号送信部１５４が「リモコン信号送信手段」に相当する。
［制御部１１２の決定処理の説明］
以下に、セットトップボックス１０が備える制御部１１２が実行する「決定処理」の手順を図４のフローチャートに基づいて説明する。
【００６９】
操作部１１８によって受け付けられた選曲番号データは、操作処理部１２２によって制御部１１２へ送信されるのであるが、制御部１１２は、操作処理部１２２から選曲番号データを受信したか否かを判断する（Ｓ１１０）。そして、操作処理部１２２から送信された選曲番号データを受信すると（Ｓ１１０：ＹＥＳ）、その選曲番号データをカラオケ装置２０へ送信する（Ｓ１１２）。そして、Ｓ１１２の処理が終了したら、Ｓ１１４の処理を行なう。なお、上述したＳ１１０の処理においては、選曲番号はセットトップボックス１０が備える操作部１１８によって受け付けられたが、これには限らない。リモコン端末１５が備えるリモコン操作部１５２によって選曲番号を受け付けて、受け付けられた選曲番号データを赤外リモコン信号送信部１５４がセットトップボックス１０へ赤外線通信によって送信してもよい。そして、制御部１１２は、赤外リモコン信号受信部１２３を介してリモコン端末１５から選曲番号データを受信したか否かを判断してもよい。
【００７０】
さて、音信号は、カラオケ装置２０からセットトップボックス１０へ出力される（この出力処理については後述する）のであるが、制御部１１２は、音声信号入力部１３０を介してカラオケ装置２０から音信号が入力されたか否かを判断する（Ｓ１１４）。ここで、カラオケ装置２０から音信号が入力されたか否かを判断するということは、カラオケ装置２０がカラオケ演奏したか否かを判断するということである。具体的には、制御部１１２は、入力検出部１２４を制御して音声信号入力部１３０を介してカラオケ装置２０から音信号が入力されたと判断された場合には、カラオケ装置２０がカラオケ演奏したと判断する。一方、制御部１１２は、入力検出部を制御して音声信号入力部１３０を介してカラオケ装置２０から音信号が入力されないと判断された場合には、カラオケ装置２０がカラオケ演奏しないと判断する。
【００７１】
そして、カラオケ装置２０から出力された音信号が入力された場合には（Ｓ１１４：ＹＥＳ）、関連データからカラオケ装置２０の機種を決定する（Ｓ１１６）。具体的には、カラオケ装置２０の機種を、ＨＤＤ１１６に設けられている関連データのメモリ領域６０に記憶されている選曲番号とカラオケ装置２０の機種との関連データから操作部１１８で受け付けられた選曲番号に基づいてカラオケ演奏するカラオケ装置２０の機種と決定する。例えば、図３（ｅ）に例示するように、操作部１１８で受け付けられた選曲番号が「１」の場合には、カラオケ演奏可能（「○」で示す）なカラオケ装置２０の機種は機種（Ａ）のみであることから、カラオケ装置２０の機種を機種（Ａ）と決定する。
【００７２】
次に、Ｓ１１６の処理において決定されたカラオケ装置２０の機種をＨＤＤ１１６に設けられている機種データのメモリ領域６２へ記憶する（Ｓ１１８）。例えば、図３（ｄ）に例示するように、カラオケ装置の機種（Ａ）を示すデータを機種データのメモリ領域６２へ記憶する。
【００７３】
そして、Ｓ１１８の処理が終了したら、本「制御部１１２の決定処理」は終了する。
一方、カラオケ装置２０から出力された音信号が入力されない場合には（Ｓ１１４：ＮＯ）、所定時間を超えたか否かを判断する（Ｓ１２０）。この所定時間は、操作部１１８で受け付けられた選曲番号データをカラオケ装置２０へ送信して（Ｓ１１２）から、カラオケ装置２０がカラオケ演奏した場合に音信号が入力される（Ｓ１１４：ＹＥＳ）までに十分な時間（例えば１０秒）である。また、この所定時間は、制御部１１２に設けられたタイマ（図示せず）で計測される。そして、所定時間を超えない場合には（Ｓ１２０：ＮＯ）、Ｓ１１４へ戻り上述した処理を実行する。一方、所定時間を超えた場合には（Ｓ１２０：ＹＥＳ）、残りの選曲番号があるか否かを判断する（Ｓ１２２）。具体的には、ＨＤＤ１１６に設けられている関連データのメモリ領域６０に記憶されている選曲番号から操作部１１８で受け付けられた選曲番号を除いた残りの選曲番号があるか否かを判断する。例えば、図３（ｅ）に例示するように、操作部１１８で受け付けられた選曲番号が「１」の場合には、選曲番号「１」〜「ｎ」から選曲番号「１」を除いた残りの選曲番号「２」〜「ｎ」があるので、残りの選曲番号があると判断する。そして、例えば、次に操作部１１８で受け付けられた選曲番号が「２」の場合には、残りの選曲番号「２」〜「ｎ」から選曲番号「２」を除いた残りの選曲番号「３」〜「ｎ」があるので、残りの選曲番号があると判断する。そして、次々と残りの選曲番号から操作部１１８で受け付けられた選曲番号を除いた選曲番号があるか否かを判断する。
【００７４】
そして、残りの選曲番号があると判断した場合には（Ｓ１２２：ＹＥＳ）、Ｓ１１０へ戻り上述した処理を実行する。一方、残りの選曲番号がないと判断した場合には（Ｓ１２２：ＮＯ）、関連データのメモリ領域６０へ記憶されているカラオケ装置２０の機種ではないと決定する（Ｓ１２４）。つまり、セットトップボックス１０からカラオケ装置２０へ送信された選曲番号データに基づいて１つの機種のみがカラオケ演奏可能な選曲番号を、図３（ｅ）に例示するように、予め調査しておいた複数種のカラオケ装置２０の機種「Ａ」〜「Ｎ」ではないと決定する。
【００７５】
そして、Ｓ１２４の処理が終了したら、本「制御部１１２の決定処理」は終了する。
［カラオケ制御部２１２の決定処理の説明］
次に、カラオケ装置２０が備えるカラオケ制御部２１２が実行する［決定処理］の手順を図５のフローチャートに基づいて説明する。
【００７６】
選曲番号データは、上述したようにセットトップボックス１０からカラオケ装置２０へ送信されるのであるが、カラオケ制御部２１２は、リモコン信号受信部２２０を介してセットトップボックス１０から選曲番号データを受信したか否かを判断する（Ｓ２１０）。そして、セットトップボックス１０から送信された選曲番号データを受信すると（Ｓ２１０：ＹＥＳ）、受信した選曲番号データに基づいてカラオケ演奏可能か否かを判断する（Ｓ２２０）。具体的には、図示されないハードディスクに記憶された選曲番号データを有する楽曲データから受信した選曲番号データに対応する楽曲データがあるか否かを判断する。そして、受信した選曲番号データに基づいてカラオケ演奏可能ではないと判断した場合には（Ｓ２２０：ＮＯ）、本「カラオケ制御部２１２の決定処理」は終了する。
【００７７】
一方、受信した選曲番号データに基づいてカラオケ演奏可能と判断した場合には（Ｓ２２０：ＹＥＳ）、選曲番号データに基づきカラオケ演奏を開始する（Ｓ２３０）。具体的には、カラオケ制御部２１２がカラオケ音声出力部２２６を制御して、カラオケ演奏を開始させる。
【００７８】
そして、開始されたカラオケ演奏から音信号をセットトップボックス１０へ出力する（Ｓ２４０）。具体的には、カラオケ制御部２１２がカラオケ音声出力部２２６を制御して、図示されないハードディスクに記憶された選曲番号データを有する楽曲データから受信した選曲番号データの対応する楽曲データを抽出し、抽出された楽曲データから演奏楽曲の音信号（音響，音声に関する信号）を生成し、生成された音信号をセットトップボックス１０へ出力させる。
【００７９】
そして、Ｓ２４０の処理が終了したら、本「カラオケ制御部２１２の決定処理」は終了する。
［効果の説明］：実施例で登場した発明の効果を記載する。
【００８０】
従来のカラオケシステムにおいては、次のような問題があった。すなわち、既存のカラオケ装置をセットトップボックスによって機能拡張するためには、サービスマンがセットトップボックスに接続されているカラオケ装置のメーカ名及び機種名を目視で確認して、セットトップボックスへ登録するという手間の掛かる作業が必要になると想定された。また、人手で行なっていたのでは、カラオケ装置のメーカ名及び機種名を誤って登録する場合が想定された。
【００８１】
それに対して本実施形態のカラオケシステム１によれば、セットトップボックス１０による機能拡張するためのカラオケ装置２０のメーカ名及び機種名の確認と、セットトップボックス１０への登録を自動化できる。すなわち、セットトップボックス１０からカラオケ装置２０へ送信された選曲番号データに基づいて１つの機種のみがカラオケ演奏可能な選曲番号データと、その選曲番号データに基づいてカラオケ演奏可能なカラオケ装置２０の機種と、を関連付けてＨＤＤ１１６へ記憶しておく。そして、カラオケ装置２０が前記選曲番号データに基づいてカラオケ演奏した場合には、カラオケ装置２０の機種を前記選曲番号データと関連付けられてＨＤＤ１１６へ記憶されているカラオケ装置２０の機種と決定する。そして、決定されたカラオケ装置２０の機種をＨＤＤ１１６へ記憶する。したがって、カラオケ装置２０のメーカ名及び機種名を誤って登録する場合がなくなる。また、サービスマンにとってカラオケ装置２０のメーカ名及び機種名の確認と、セットトップボックス１０への登録がなくなるので、手間の掛かる作業を省ける。
【００８２】
［他の実施形態］
以上、本発明の実施形態について説明したが、本発明は上記実施形態に限定されるものではなく、以下のような様々な態様にて実施することが可能である。
【００８３】
（１）上記実施形態では、サービスマンが例えば操作取扱書などを参照しながら選曲番号を操作部１１８へ入力することになるが、これには限らない。制御部１１２がＨＤＤ１１６に設けられた関連データのメモリ領域６０に記憶された選曲番号を読み出して、モニタ５０を制御して読み出した選曲番号をモニタ５０へ表示させてもよい。
【００８４】
このように構成された実施形態においては、サービスマンが操作取扱書を持参するのを忘れた場合であっても、モニタ５０へ表示された選曲番号を見ながら選曲番号を操作部１１８へ入力することができる。
【００８５】
（２）上記実施形態では、サービスマンがカラオケ装置２０の機種が決定されるまで選曲番号を次々と操作部１１８へ入力することになるが、これには限らない。次に説明するように、セットトップボックス１０に対して操作部１１８の代わりに操作部１１９と、制御部１１２の代わりに制御部１１３とを備え、サービスマンが操作部１１９（図示せず）へ１回入力すればカラオケ装置２０の機種が決定されるまでの選曲番号を自動で生成するようにしてもよい。
【００８６】
具体的には、操作部１１９は、操作部１１８に加えて例えば「開始指示」を受け付けるための専用スイッチを備えている。なお、専用スイッチを設けなくても、操作部１１９に備えている複数のキー・スイッチによって予め定められた入力を「開始指示」としてもよい。例えば「１１１１」と入力すれば、「開始指示」の入力と判断するように構成されてもよい。
【００８７】
そして、制御部１１３（図示せず）は、制御部１１２に加えてＨＤＤ１１６に設けられた関連データのメモリ領域６０に記憶された選曲番号の中から異なる選曲番号を１つずつ読み出せるよう構成されている。
【００８８】
以下に、このように構成された実施形態において、セットトップボックスが備える制御部１１３が実行する「決定処理」の手順を図６のフローチャートに基づいて説明する。
［制御部１１３の決定処理の説明］
操作部１１９によって受け付けられた「開始指示」データは、操作処理部１２２によって制御部１１３へ送信されるのであるが、制御部１１３は、操作処理部１２２から「開始指示」データを受信したか否かを判断する（Ｓ３１０）。そして、操作処理部１２２から送信された「開始指示」データを受信すると（Ｓ３１０：ＹＥＳ）、関連データから選曲番号データを読み出す（Ｓ３１５）。具体的には、ＨＤＤ１１６に設けられている関連データのメモリ領域６０に記憶されている選曲番号を１つ読み出す。例えば、図３（ｂ）に例示されている選曲番号「１」を読み出す。
【００８９】
そして、読み出された選曲番号データをカラオケ装置２０へ送信する（Ｓ３２０）。Ｓ３２０の処理が終了したら、Ｓ３２５の処理を行なう。なお、上述したＳ３１０の処理においては、「開始指示」はセットトップボックス１０が備える操作部１１９によって受け付けられたが、これには限らない。次に説明するように、リモコン端末１５に対してリモコン操作部１５２の代わりにリモコン端末１６２を備え、サービスマンがリモコン操作部１６２（図示せず）へ１回入力すればカラオケ装置２０の機種が決定されるまでの選曲番号を自動で生成するようにしてもよい。
【００９０】
具体的には、リモコン操作部１６２は、リモコン操作部１５２に加えて例えば「開始指示」を受け付けるための専用スイッチを備えている。なお、専用スイッチを設けなくても、操作部１６２に備えている複数のキー・スイッチによって予め定められた入力を「開始指示」としてもよい。例えば「１１１１」と入力すれば、「開始指示」の入力と判断するように構成されてもよい。
【００９１】
そして、リモコン操作部１６２によって「開始指示」を受け付けて、受け付けられた「開始指示」データを赤外リモコン信号送信部１５４がセットトップボックス１０へ赤外線通信によって送信してもよい。そして、制御部１１３は、赤外リモコン信号受信部１２３を介してリモコン端末から「開始指示」データを受信したか否かを判断してもよい。
【００９２】
さて、音信号は、カラオケ装置２０からセットトップボックス１０へ出力される（この出力処理については後述する）のであるが、制御部１１３は、上述したＳ１１４の処理と同様に音声信号入力部１３０を介してカラオケ装置２０から音信号が入力されたか否かを判断する（Ｓ３２５）。
【００９３】
そして、カラオケ装置２０から出力された音信号が入力された場合には（Ｓ３２５：ＹＥＳ）、上述したＳ１１６の処理と同様に関連データからカラオケ装置２０の機種を決定する（Ｓ３３０）。
【００９４】
次に、Ｓ３３０の処理において決定されたカラオケ装置２０の機種を、上述したＳ１１８の処理と同様にＨＤＤ１１６に設けられている機種データのメモリ領域６２へ記憶する（Ｓ３３５）。そして、Ｓ３３５の処理が終了したら、本「制御部１１３の決定処理」は終了する。
【００９５】
一方、カラオケ装置２０から出力された音信号を入力しない場合には（Ｓ３２５：ＮＯ）、上述したＳ１２０の処理と同様に所定時間を超えたか否かを判断する（Ｓ３４０）。そして、所定時間を超えない場合には（Ｓ３４０：ＮＯ）、Ｓ３２５へ戻り上述した処理を実行する。一方、所定時間を超えた場合には（Ｓ３４０：ＹＥＳ）、残りの選曲番号があるか否かを判断する（Ｓ３４５）。具体的には、ＨＤＤ１１６に設けられている関連データのメモリ領域６０に記憶されている選曲番号からＳ３１５の処理で読み出された１つの選曲番号を除いた残りの選曲番号があるか否かを判断する。例えば、図３（ｂ）に例示するように、Ｓ３１５の処理で読み出された選曲番号が「１」の場合には、選曲番号「１」〜「ｎ」から選曲番号「１」を除いた残りの選曲番号「２」〜「ｎ」があるので、残りの選曲番号があると判断する。そして、例えば、次にＳ３１５の処理で読み出された選曲番号が「２」の場合には、残りの選曲番号「２」〜「ｎ」から選曲番号「２」を除いた残りの選曲番号「３」〜「ｎ」があるので、残りの選曲番号があると判断する。そして、次々と残りの選曲番号からＳ３１５の処理で読み出された選曲番号を除いた選曲番号があるか否かを判断する。
【００９６】
そして、残りの選曲番号があると判断した場合には（Ｓ３４５：ＹＥＳ）、Ｓ３１５へ戻り上述した処理を実行する。一方、残りの選曲番号がないと判断した場合には（Ｓ３４５：ＮＯ）、上述したＳ１２４と同様に関連データのメモリ領域６０へ記憶されているカラオケ装置２０の機種ではないと決定する（Ｓ３５０）。
【００９７】
そして、Ｓ３５０の処理が終了したら、本「制御部１１３の決定処理」は終了する。
このように構成された実施形態においては、「開始指示」を受け付けるとＨＤＤ１１６に設けられている関連データのメモリ領域６０に記憶されている選曲番号から異なる選曲番号が１つずつ読み出され、カラオケ装置２０へ送信されるので、サービスマンは、「開始指示」を１回入力する作業で済ますことができる。つまり、サービスマンにとって入力する作業の手間を少なくできる。
【００９８】
なお、本実施形態においては、操作部１１９が「開始指示受け付け手段」に相当し、制御部１１３が「読み出し手段」に相当する。また、リモコン操作部１５２が「リモコン側開始指示受け付け手段」に相当する。
【００９９】
（３）上記実施形態では、カラオケ装置２０の機種を決定するための楽曲は、１つの機種のみがカラオケ演奏可能な楽曲であったが、これには限らない。次に説明するように、カラオケ装置２０の機種を決定するための楽曲は、少なくとも１つの機種がカラオケ演奏可能な楽曲でもよい。
【０１００】
まず、ＨＤＤ１１６には、図７（ａ）に例示するように、関連データのメモリ領域６４が設けられている。
（ハ）本実施形態における関連データ
本実施形態における関連データとは、図７（ａ）、図７（ｂ）に例示するように、複数種のカラオケ装置２０中の少なくとも１つの機種がカラオケ演奏可能な選曲番号データと、その選曲番号データに基づいてカラオケ演奏可能なカラオケ装置２０の機種を示すデータとが関連付けられたデータを指す。
【０１０１】
ここで、複数種のカラオケ装置２０中の少なくとも１つの機種のみがカラオケ演奏可能な選曲番号データについて説明する。
セットトップボックス１０からカラオケ装置２０へ送信された選曲番号データに基づいて少なくとも１つの機種がカラオケ演奏可能で、且つ複数種のカラオケ装置の機種（Ａ）〜（Ｎ）においてカラオケ演奏する選曲番号の組み合わせがそれぞれ異なる選曲番号を、図７（ｄ）に例示するように、複数種のカラオケ装置２０の機種（Ａ）〜（Ｎ）において予め調査しておく。ここで、図７（ｄ）中の「○」はカラオケ演奏可能であることを示し、「×」はカラオケ演奏しないことを示す。例えばカラオケ装置２０の機種（Ａ）と機種（Ｂ）とがカラオケ演奏可能であり、機種（Ａ）と機種（Ｂ）とを除いたカラオケ装置２０においてはカラオケ演奏しない選曲番号（１）や、カラオケ装置２０の機種（Ａ）と機種（Ｎ）とが「○」で示すようにカラオケ演奏可能であり、機種（Ａ）と機種（Ｎ）とを除いたカラオケ装置２０においてはカラオケ演奏しない選曲番号（２）や、カラオケ装置２０の機種（Ｂ）と機種（Ｎ）とがカラオケ演奏可能であり、機種（Ｂ）と機種（Ｎ）とを除いたカラオケ装置２０においてはカラオケ演奏しない選曲番号（ｎ）を予め調査しておく。そして、複数種のカラオケ装置２０の機種（Ａ）〜（Ｎ）の全ての機種において、カラオケ演奏する選曲番号の組み合わせがそれぞれ異なる選曲番号を予め調査しておく。例えばカラオケ装置の機種（Ａ）においては、選曲番号（１）、（２）ではカラオケ演奏可能であり、カラオケ装置の機種（Ｂ）においては、選曲番号（１）、（ｎ）ではカラオケ演奏可能であり、カラオケ装置の機種（Ｎ）においては、選曲番号（２）、（ｎ）ではカラオケ演奏可能となり、カラオケ装置２０の機種（Ａ）、（Ｂ）、（Ｎ）において、カラオケ演奏する選曲番号の組み合わせがそれぞれ異なっている。
【０１０２】
そして、本実施形態における関連データは、図７（ｂ）、図７（ｃ）に例示するように、選曲番号（１〜ｎ）の数値「１〜ｎ」とカラオケ装置の機種（Ａ〜Ｎ）とが関連付けられ、関連データのメモリ領域６４（ｎ）へ記憶されている。一例を挙げると、選曲番号（１）の数値「１」とカラオケ装置の機種（Ａ），（Ｂ）とが関連付けられ、関連データのメモリ領域６４（１）へ記憶されている。
【０１０３】
このように構成された実施形態において、ＨＤＤ１１６に設けられた関連データのメモリ領域６４へ記憶されている選曲番号中のそれぞれの選曲番号が操作部１１８によって受け付けられ、受け付けられた選曲番号データに基づくカラオケ演奏の音信号が入力されたか否かを判断する。そして、それぞれの選曲番号データに対応する判断結果の組み合わせに基づいてカラオケ装置２０の機種を決定する。なお、上述のように、選曲番号はセットトップボックス１０が備える操作部１１８によって受け付けられたが、これには限らない。リモコン端末１５が備えるリモコン操作部１５２によって選曲番号を受け付けて、受け付けられた選曲番号データを赤外リモコン信号送信部１５４がセットトップボックス１０へ赤外線通信によって送信してもよい。そして、制御部１１２は、赤外リモコン信号受信部１２３を介してリモコン端末１５から選曲番号データを受信したか否かを判断してもよい。
【０１０４】
また、本実施形態では、サービスマンがカラオケ装置２０の機種が決定されるまで選曲番号を次々と操作部１１８へ入力することになるが、これには限らない。上述した（２）と同様の構成とすれば、サービスマンが操作部１１９やリモコン操作部１６２へ１回入力すればカラオケ装置２０の機種が決定されるまでの選曲番号を自動で生成するようにしてもよい。
【０１０５】
このように構成された実施形態においては、少なくとも１つの機種がカラオケ演奏可能な楽曲であっても、カラオケ装置２０の機種を決定することができる。つまり、カラオケ装置の機種を決定するために選択される楽曲数を増やせる。
【図面の簡単な説明】
【０１０６】
【図１】カラオケシステム１の構成及び稼働時の周辺機器の構成を示すブロック図である。
【図２】カラオケシステム１の全体構成を示すブロック図である。
【図３】セットトップボックス１０が備えるＨＤＤ１１６に設けられたメモリ領域を示す説明図である。
【図４】セットトップボックス１０が備える制御部１１２が実行する「決定処理」の手順を示すフローチャートである。
【図５】カラオケ装置２０が備えるカラオケ制御部２１２が実行する「決定処理」の手順を示すフローチャートである。
【図６】他の実施形態のカラオケシステムにおいて、セットトップボックスが備える制御部１１３が実行する「決定処理」の手順を示すフローチャートである。
【図７】他の実施形態のカラオケシステムにおいて、セットトップボックス１０が備えるＨＤＤ１１６に設けられたメモリ領域を示す説明図である。
【符号の説明】
【０１０７】
１…カラオケシステム、２…ローカルサーバ、３…カラオケボックス内ＬＡＮ、４…ＬＡＮハブ装置、５…ブロードバンドルータ、６…ＡＤＳＬモデム、７…高速通信回線、８…中央サーバ、１０…セットトップボックス、１５…リモコン端末、２０…カラオケ装置、３０…オーディオアンプ、４０…スピーカ、５０…モニタ、６０，６４…関連データのメモリ領域、６２…機種データのメモリ領域、１１２，１１３…制御部、１１４…ＬＡＮインタフェース部、１１６…ハードディスク（ＨＤＤ）、１１８，１１９…操作部、１２２…操作処理部、１２３…赤外リモコン信号受信部、１２４…入力検出部、１２６…音声出力部、１２８…セレクタ、１３０…音声信号入力部、１３２…映像出力部、１３４…セレクタ、１３６…映像信号入力部、１４０…リモコン信号送信部、１５２，１６２…リモコン操作部、１５４…赤外リモコン信号送信部、２１２…カラオケ制御部、２２０…リモコン信号受信部、２２６…カラオケ音声出力部、２３０…カラオケ映像出力部。
【図２】
2007171645.tif 000003
【図３】
2007171645.tif 000004
【図４】
2007171645.tif 000005
【図５】
2007171645.tif 000006
【図６】
2007171645.tif 000007
【図７】
2007171645.tif 000008
【図１】
2007171645.tif 000009